Podtech/llm-jp-corpus-v4-ja_patent huggingface dataset:
(57)【要約】      （修正有）【課題】ライター本体に穴をあけ、それにホルダー紐などを通して拘束して落下、紛失等を防ぐことが出来るオイルライターを提供する。【解決手段】オイルライター本体１胴体に穴を貫通させてシリンダー２（筒、矩形）を挿入し設け、オイルライター本体１胴体と結着させ気密性を保持した、穴あきオイルライターにし、ホルダー紐、チェーン１０などを通して連結結足して手の内からの落下及び紛失等を防止自在する。【選択図】図３
0003208506.tif 000002
【実用新案登録請求の範囲】
【請求項１】
オイルライター本体に穴を貫通させてシリンダー（筒、矩形）を挿入し、気密性を保持し設けた、穴あきオイルライターに関するものである。
【考案の詳細な説明】
【技術分野】
【０００１】  本考案は、オイルライター本体（ケース）に貫通した穴を設け、シリンダー（筒、矩形）を挿入し、それに気密性を保持し設けた穴あきオイルライターに関するものである。
【背景技術】
【０００２】  オイルライターは、本来インナー（インサイドユニット）内にある綿球（レイヨンボール）に油（オイル）を吸収させ、芯（ウイック）に吸い上げ揮発させ着火する構造である。オイルライターのインナーとオイルライター本体（ケース）は気密にされ保持されて、油は外部に漏れないよう綿球とともに密封されている。その為、オイルライター本体には開口部は無くシール性が維持されている。
【先行技術文献】
Ｚｉｐｐｏ  Ｊａｐａｎ  社  カタログ
【特許文献】
【考案の概要】
【考案が解決しようとする課題】
【０００３】  オイルライター本体（ケース）は、一般に油漏れの無い様に作られているため構造は、シンプル（簡単）な形状で構成されている。その為、手の内やポケット、バッグから落としたりして紛失、破損するということがある。オイルライター本体はシンプルのためフックなどは付けるのが出来ないため、ライター本体に穴をあけ、それにホルダー紐などを通して拘束して落下、紛失等を防ぐことが出来る。
【課題を解決するための手段】
【０００４】  本考案は、貴重品のオイルライター本体胴体に穴を貫通させてシリンダー（筒、矩形）を挿入し設け、オイルライター本体胴体と結着させ気密性を保持した、穴あきオイルライターにし、ホルダー紐、チェーンなどを通して連結結足して手の内からの落下及び紛失等を防止自在することにより問題点を解決している。
【考案の効果】
【０００５】  上述の様に、本考案は、貴重品のオイルライター本体胴体に穴を貫通させてシリンダー（筒、矩形）を挿入して設けてある為、ホルダー紐、チェーンなどを通して連結結足して手の内からの落下及び紛失等を防止として役立ち、かつ特異な意匠性を持ったオイルライターとしても活用出来る。【０００６】又、本考案は、オイルライター本体胴体に穴を貫通させてシリンダー（筒）を挿入して設けてある為、指先に不自由を感じている場合もシリンダー（筒）内に指を通して確実にライター本体を堅持でき加えて小力な方法で着火させる行為が可能になる。【０００７】同様に、本考案によりライターのトリッキーアクション（着火方法）のバリエーションを増加させ、小銃のトリガーを利用したと場合と同様な動きで新しい着火方法（アクションスタイル）を創造させる形状の一つになる。【０００８】又、本考案は、オイルライター本体胴体に穴を貫通させてシリンダー（筒、矩形）を挿入して設けてある為、挿入シリンダー内に液封を作り、液封内に人形、矩形、星型などの形状キャラクターを浮遊させるとか、万華鏡の様に装飾としても活用できる。【０００９】加えて、シリンダー（筒）内に液封で水準器形状になり、携帯型拡大レンズに活用することも可能である。
【図面の簡単な説明】
【００１０】
【図１】本考案に係るオイルライターの穴あけ前の本体の一例を示すオイルライター本体を側面、概略斜視図、オイルライターインナー（インサイドユニット）と本体分離図である。
【図２】本考案に係る穴あけ後のオイルライターの本体の一例を示すオイルライター本体を側面、概略斜視図、オイルライターインナーと本体分離図である。
【図３】本考案に係る穴あけオイルライターの本体で考案の効果を説明した側面、概略斜視図である。
【図４】本考案に係る穴あけオイルライターの本体で考案の効果で持ち手を説明した側面、概略斜視図である。
【図５】本考案に係る穴あけオイルライターの本体で考案の効果でシリンダー内に液封を作り、液封内に人形、矩形、星型などの形状キャラクターを浮遊させたことを説明した側面、概略斜視図である。
【図６】本考案に係る穴あけオイルライターの本体で考案の効果でシリンダー内に液封で水準器形状なり、携帯型拡大レンズに活用させたことを説明した側面、概略斜視図である。
【考案を実施するための形態】
【００１１】以下に、本考案に係る穴あきオイルライターの実施例を図１乃至図６に基づいて説明する。図１は、従来の一般的なガスライター本体姿である。
図２乃至図３では、オイルライター本体胴体１に穴を貫通させ、そこにシリンダー（筒、矩形）２を挿入して設けてもオイルライターインナーが接触の無いように切断し、同時にシリンダー（筒、矩形）２とオイルライターケース１の気密性を保持させるため結着させ、そのシリンダー２穴を利用してホルダー紐、チェーン１０などを通して連結結足して手元等からの落下及び紛失等を防止として役立つことになる。
【符号の説明】
【００１２】１    オイルライター本体（ケース）
２    シリンダー（筒、矩形）
３    チューブ
４    インナー（インサイドユニット）
５    綿球（レイヨンボール）
６    フェルト・パット
７    リッド（キャップ）
８    ヒンジ
９    フリントホイール
１０  紐、チェーン
１１  指
１２  人形、矩形、星型などの形状キャラクター
１３  水準器形状なり、携帯型拡大レンズ
【図１】
0003208506.tif 000003
【図２】
0003208506.tif 000004
【図３】
0003208506.tif 000005
【図４】
0003208506.tif 000006
【図５】
0003208506.tif 000007
【図６】
0003208506.tif 000008
【手続補正書】
【提出日】平成28年10月17日(2016.10.17)
【手続補正１】
【補正対象書類名】実用新案登録請求の範囲
【補正対象項目名】全文
【補正方法】変更
【補正の内容】
【実用新案登録請求の範囲】
【請求項１】
オイルライター本体に穴を貫通させてシリンダーを挿入し、気密性を保持したことを特徴とする、穴あきオイルライター。
(57)【要約】      （修正有）【課題】仰向けに横たわり、器具を腰の筋肉にあてがうことで、幅３種類、高さ２種類に変化させることができる円弧状の突起を介して腰の筋肉を刺激し、腰痛を緩和できる器具を提供する。【解決手段】左右２０数センチ、高さ数センチからなる立方体の平台とそれに組合わせる２つの入れ子から構成され、平台は使用時に人体に角があたらないよう四隅と上部の四辺を丸くけずり、さらにその上面に２つの入れ子の間隔や高さを変えられるよう井の字の形で溝を掘り、そこに長方形の長辺を人の背に合わせ円弧型に形成し、その反対側を平台に差し込む足形とした同形の２つの入れ子を入れ込むことで、あおむけになった腰部に刺激を与え、腰痛の緩和を計る器具である。【選択図】図１
0003208504.tif 000002
【実用新案登録請求の範囲】
【請求項１】
日常的に腰痛を感じている人は多く、この器具は仰向けに横たわる体の腰部にあてがい、体格や腰痛の状況にあわせて調節して、腰痛の緩和を計ることができる器具です。
【考案の詳細な説明】
【技術分野】
【０００１】この実用新案登録は、仰向けに横たわる体の腰部にあてがい、腰痛を緩和する器具です。
【背景技術】
【０００２】昔から多くの人たちが腰痛に悩んでいる。
【実用新案登録の概要】
【実用新案登録が解決しようとする課題】
【０００３】日々の生活や仕事で多くの人たちが慢性的に腰痛に悩んでいて、独自にまたは医療機関での治療をして人も多くいる。
【課題を解決するための手段】
【０００４】仰向けに横たわり、この器具を腰の筋肉にあてがう。
【実用新案登録の効果】
【０００５】器具の円弧状にふくらんだ形状が腰の筋肉を刺激し、腰痛の緩和を計ることができる。
【図面の簡単な説明】
【０００６】
【図１】この実用新案登録の実施形態を示す図である。
【図２】腰の筋肉の幅に合わせて３種類、高さは２種類に変化させることができる。
【図３】この実用新案登録の実用サイズの一例である。
【実用新案登録を実施するための形態】
【０００７】この実用新案登録の一実施形態を、図１に示す。
入れ子２個とそれを受ける台との構成で、台には入れ子のための縦横の溝があり、入れ子の効果を邪魔しないように上部は角を削り、入れ子にはその溝にはめ込む足がある。
【実施形態の効果】
【０００８】入れ子を１８０度入れ替えることにより、左右の腰の筋肉に接する幅を３種に変えることができるので、体格の異なる人でも使用でき、さらに台を９０度変えると、入れ子の高さが変わるので、より強い負荷をかけることができる。（図２参照）
【図１】
0003208504.tif 000003
【図２】
0003208504.tif 000004
【図３】
0003208504.tif 000005
【手続補正書】
【提出日】平成28年10月26日(2016.10.26)
【手続補正１】
【補正対象書類名】実用新案登録請求の範囲
【補正対象項目名】全文
【補正方法】変更
【補正の内容】
【実用新案登録請求の範囲】
【請求項１】
本案は、左右２０数センチ、高さ数センチからなる立方体の平台とそれに組合わせる２つの入れ子から構成され、平台は使用時に人体に角があたらないよう四隅と上部の四辺を丸くけずり、さらにその上面に２つの入れ子の間隔や高さを変えられるよう井の字の形で溝を掘り、そこに長方形の長辺を人の背に合わせ円弧型に形成し、その反対側を平台に差し込む足形とした同形の２つの入れ子を入れ込むことで、あおむけになった腰部に刺激を与え、腰痛の緩和を計る器具である。
(57)【要約】      （修正有）【課題】金の使用量を減らしながらも金無垢糸巻金具と同等の機能、効果を持つ三味線糸巻金具を提供する。【解決手段】糸巻きとの接面となる一部のみを金無垢２としたことを特徴とする。【選択図】図１
0003208510.tif 000002
【実用新案登録請求の範囲】
【請求項１】
金属で作られている三味線糸巻金具であって、金属の元に一部のみ金無垢利用、加工する。実際に糸巻と金属が接する面は多くなく、その接面のみ金無垢を利用した糸巻金具である。
【請求項２】
金属からなる三味線用糸巻金具であって、金属の糸巻金具先端部３〜５ｍｍのみ２４金で構成されたことを特徴とする糸巻金具。
【考案の詳細な説明】
【技術分野】
【０００１】本考案は、三味線用金具に係る。
【背景技術】
【０００２】三味線糸巻金具には、糸巻に応じ、アルミ、銀、銅や金無垢が使用されている。
【先行技術文献】
【特許文献】
【０００３】
【特許文献１】特開２０１１−０１７７４１  広報
【特許文献２】特開２００６−１５４６９４  広報
【考案の概要】
【考案が解決しようとする課題】
【０００４】昨今の金価格高騰により、金無垢金具使用が大変少なく、また難しくなっている。
【課題を解決するための手段】
【０００５】本考案は量産品である糸巻金具の一部改良により、金の使用量を減らしながらも金無垢糸巻金具と同等の機能、効果を持つ新規金無垢糸巻金具を提案する。
【考案の効果】
【０００６】価格が抑えられ、現実的な価格での製作が可能になる事により、より多くの演奏家、愛好家に、金無垢同等の糸巻金具の提供が可能となると共に従来品と変わらないいい音色の三味線を提供する事ができ、２４金と使うことにより、糸が緩みにくくなる。
【図面の簡単な説明】
【０００７】
【図１】新考案糸巻金具（全体図）
【図２】量産糸巻き金具（全体図）
【考案を実施するための形態】
【０００８】量産糸巻金具（鍍金）を用い、一部を金無垢に溶接（ロウ付け）する。
【実施例】
【０００９】以下、本考案の実施形態を、図１〜２に基づき説明する。【００１０】図２の合金量産糸巻金具を使用し、糸巻挿入部８．４ミリ（図１−１）を残し、糸巻との接面となる末端３ミリ（図１−２）を切断してから切断部（図１−２）に３ミリ幅の金無垢リングを溶接する。
（金無垢リングの厚さは概ね０．８ミリである。）【００１２】金無垢リングを溶接作業時の熱による鍍金ダメージの為、地金部（図１−１）に再鍍金を施しても良い。【００１３】新考案糸巻金具は通常合金糸巻金具（図２）と異なり、金鍍金（図（１−１）、金無垢（図１−２）からなる。
【図１】
0003208510.tif 000003
【図２】
0003208510.tif 000004
【手続補正書】
【提出日】平成28年10月27日(2016.10.27)
【手続補正１】
【補正対象書類名】実用新案登録請求の範囲
【補正対象項目名】全文
【補正方法】変更
【補正の内容】
【実用新案登録請求の範囲】
【請求項１】
本来、合金または金鍍金で作られている金具を溶接により階層分けし、糸巻きとの接面となる一部のみを金無垢としたことを特徴とする三味線糸巻金具である。
(57)【要約】      （修正有）【課題】縦方向に棚板を増設するにあたって、任意の必要枚数を容易に追加することができ、高さの異なる支柱を使用するか支柱にスペーサーを継ぎ足すことにより、各棚板間の高さを容易に調節できる本棚を提供する。【解決手段】内部に雌ネジ構造を有する支柱４で棚板１を支持する構造とし、同じ１枚の棚板の上下に支柱を固定できるよう、位置をずらした複数組のボルト孔２、３を棚板両端に設ける。【選択図】図２
0003208587.tif 000002
【実用新案登録請求の範囲】
【請求項１】
側板を用いず、支柱で棚板を支える本棚において、
雌ネジ機構を内蔵する支柱と、
その雌ネジ機構に対応するボルトで支柱に固定できるよう両端近くに外側ボルト孔を設け、
かつ、同時に反対の面に別の支柱を同様に固定できるよう外側ボルト孔から一定の距離をおいて内側ボルト孔を設けた棚板
で構成された本棚。
【考案の詳細な説明】
【技術分野】
【０００１】
この考案は本棚に関する。
【背景技術】
【０００２】
市販されている一般的な家庭向け本棚は、側板と棚板から構成されているものが大半である。
【考案の概要】
【考案が解決しようとする課題】
【０００３】
側板を使用する本棚は、縦方向に棚板を増設するときは、同じく側板を使用する別の本棚を上に継ぎ足して固定することはできるものの、棚板を一段ずつ追加することは困難である。また、各棚板間の高さ調節も、合計で側板の高さの範囲内でしかできない。
【課題を解決するための手段】
【０００４】
本考案は上記課題を解決するために、内部に雌ネジ構造を有する支柱で棚板を支持する構造とし、同じ１枚の棚板の上下に支柱を固定できるよう、位置をずらした複数組のボルト孔を棚板両端に設ける。
【考案の効果】
【０００５】
上記の課題解決手段により、使用者は縦方向に棚板を増設するにあたって、任意の必要枚数を容易に追加することができる。また、高さの異なる支柱を使用するか支柱にスペーサーを継ぎ足すことにより、各棚板間の高さを容易に調節できる。
【図面の簡単な説明】
【０００６】
【図１】本考案実施例の棚板の平面図である。
【図２】本考案実施例の組み立て方を説明する正面図で、内部構造を併せ図示する。
【図３】本考案実施例の支柱内のネジ構造の例１例を示す三面図で、内部構造を併せ図示する。
【図４】本考案実施例の支柱内のネジ構造の例３例を示す側面図で、内部構造を併せ図示する。
【図５】本考案実施例支柱にスペーサーを取り付けた状態を示す側面図で、内部構造を併せ図示する。
【実施例】
【０００７】
図面に沿って本考案実施例を説明する。図１は棚板１の平面図であり、内部に雌ネジ構造を有する支柱４を接合するための外側ボルト孔２を両端に一組ずつ設け、外側ボルト孔２より内側に内側ボルト孔３を一組ずつ設ける。なお、図中、内側ボルト孔３は太線で表す。
【０００８】
図２は本考案実施例の組み立て方を説明する正面図で、同形部品・構造については一部符号を省略している。棚板１（ア）と棚板1（イ）を、外側ボルト孔２を介してボルト５で支柱４に接合し、棚板１（イ）と棚板（ウ）を、内側ボルト孔３を介してボルト５で支柱４に接合する。さらに棚板を増設する場合は、外側ボルト孔２と内側ボルト孔３を交互に使用して、棚板を支柱に接合していく。いずれの場合にもボルト５がドライバーなど１１で操作しやすい場所に位置するため、組み立て、棚板の増設、分解が容易に行える。
【０００９】
図３は本考案実施例において支柱４の内部に雌ネジ構造を設ける方法の例１例を示すもので、Ａは正面図、Ｂは側面図、Ｃは平面図である。棚板１は支柱４内に埋め込まれた横穴付交差式結合ナット６に螺合するボルト５によって支柱４に接合する。
【００１０】
図４Ａ、Ｂ、Ｃは本考案実施例において棚板と支柱を接合する方法の例３例を示す側面図である。Ａにおいて、ボルト５は支柱４に埋め込まれた鬼目ナット７に螺合することにより、支柱４に棚板１を接合する。Ｂ、Ｃにおいて、ボルト５はネジ孔付き支柱８、ネジ孔付き中空支柱９それぞれ設けられた雌ネジ構造に螺合することにより、各支柱４、８、９に棚板１を接合する。
【００１１】
図５は、棚板間の高さを調節する方法を説明する側面図で、棚板１をボルト５によりスペーサー１０を介して支柱４に接合することにより、棚板間の高さを容易に増すことができる。
【符号の説明】
【００１２】
１  棚板    ２  外側ボルト孔    ３  内側ボルト孔    ４  支柱    ５  ボルト      ６  横穴付交差式結合ナット    ７  鬼目ナット    ８  ネジ孔付き支柱       ９  ネジ孔付き中空支柱    １０  スペーサー    １１  ドライバーなど  
【図１】
0003208587.tif 000003
【図２】
0003208587.tif 000004
【図３】
0003208587.tif 000005
【図４】
0003208587.tif 000006
【図５】
0003208587.tif 000007
(57)【要約】      （修正有）【課題】シガーライターソケット又はＵＳＢレセプタクル等の汎用レセプタクルから電力の供給を受けて，２つの電子機器に電力を供給することが可能な巻取式充電通信ケーブルを提供する。【解決手段】巻取式充電通信ケーブルは，２つの独立した機能を有した巻取部本体１４および２つのコネクタ１８を備える。巻取式充電通信ケーブルは，電源入力部１７より供給された電力を２つの巻取部本体１４に同時に供給する機能を有し，それぞれのコネクタ１８を介して２つの電子機器に電力を供給する機能を有する。【選択図】図２
0003208513.tif 000002
【実用新案登録請求の範囲】
【請求項１】
電源から供給された電力が，銅箔基板本体を通じて同時に２つの巻取部本体に供給される機能を備える巻取式充電通信ケーブル。
【請求項２】
２つの巻取部本体がそれぞれ単独でも機能する独立した構造になっている請求項１に記載の巻取式充電通信ケーブル。
【考案の詳細な説明】
【技術分野】
【０００１】  この考案は，充電および通信するための外部接続端子を有するパソコン，スマートフォン，携帯電話等の電子機器および家電等の巻取式充電通信ケーブルに関する。
【背景技術】
【０００２】  従来の巻取式充電通信ケーブルは，電力を供給するケーブルが１つしかないため，１つの電子機器にしか使用することができない。
【考案の概要】
【考案が解決しようとする課題】
【０００３】  従来の巻取式充電通信ケーブルにおいて，２つの電子機器に電力を供給するためには，２つの巻取式充電通信ケーブルを用意するか，ＵＳＢハブを介在させて供給口を増設する必要があった。
【課題を解決するための手段】
【０００４】  以上の課題を解決するために，２つの巻取式充電通信ケーブルを同時に電力供給できる構造にすることによって２つの電子機器への電力を供給可能にし，かつ，２つの巻取部本体を独立構造にすることによって，片方のみ伸ばして使用することができることを特徴とする巻取式充電通信ケーブルである。
【考案の効果】
【０００５】  この考案によれば，ｍｉｃｒｏＵＳＢコネクタやＬｉｇｈｔｎｉｎｇコネクタ等のような２種類のコネクタを同時に使用することもできる。また，２つの巻取部がそれぞれ独立して巻取る構造になっているので，一方は巻取部本体に収納したまま，もう一方のみ伸ばして使用，もしくは両方とも伸ばして使用することができる。
【図面の簡単な説明】
【０００６】
【図１】シガーライターソケットから電源が供給される場合の充電器を示す平面図である。
【図２】図１の充電器の分解構造を示す斜視図である。
【図３】巻取部本体の分解構造の平面図である。
【図４】銅箔基板本体の構造の平面図である。
【考案を実施するための形態】
【０００７】  この考案の一実施形態を，図１と図２に示す。
図２の（１６）接触端子と（１５）銅箔が接触することによって（１７）電源入力部から供給された電源が，（１９）ケーブルを通じて（１８）ｍｉｃｒｏＵＳＢやＬｉｇｈｔｎｉｎｇ等のコネクタに供給される。
【０００８】  図３は巻取部本体の分解構造の平面図である。
図３の（１４）巻取部本体は，（２０）コイルばねを図２の（１１）外装の（１２）軸にはめ込むことによってケーブルを本体に巻取ったり伸ばしたりすることができる。そして，（１４）巻取部本体に巻取られている（１９）ケーブルは（２１）電線と繋がっており，さらに，（１６）接触端子と接続されている。また，巻取部側面図のように（１６）接触端子の先端が（１４）巻取部本体より浮き出ている。
【０００９】  図４の（１３）銅箔基板本体には，表と裏の両面に（１５）銅箔があり，（１７）電源入力部と接続されている。
【００１０】  （１７）電源入力部より供給された電力は，（１５）銅箔と（１６）接触端子が接触することにより，（２１）電線，（１９）ケーブルを通じて（１８）ｍｉｃｒｏＵＳＢやＬｉｇｈｔｎｉｎｇ等のコネクタから電子機器に供給される。また，（１６）接触端子を有する面で（１３）銅箔基板本体を挟むことで，２つの（１４）巻取部本体に同時に電力を供給することができる。
【００１１】  以上，実施の形態を参照して本考案による巻取式充電通信ケーブルを説明したが，本考案による巻取式充電通信ケーブルは上記実施形態に限定されない。上記実施形態に様々の変更を行うことが可能である。上記実施形態に記載された事項の他にもＵＳＢレセプタクル等の汎用レセプタクルとも組み合わせることが可能である。
【符号の説明】
【００１２】１巻取式充電通信ケーブル
１１外装
１２軸
１３銅箔基板本体
１４巻取部本体
１５銅箔
１６接続端子
１７電源入力部
１８ｍｉｃｒｏＵＳＢやＬｉｇｈｔｎｉｎｇ等のコネクタ
１９ケーブル
２０コイルばね
２１電線
【図１】
0003208513.tif 000003
【図２】
0003208513.tif 000004
【図３】
0003208513.tif 000005
【図４】
0003208513.tif 000006
【手続補正書】
【提出日】平成28年10月24日(2016.10.24)
【手続補正１】
【補正対象書類名】実用新案登録請求の範囲
【補正対象項目名】全文
【補正方法】変更
【補正の内容】
【実用新案登録請求の範囲】
【請求項１】
電源から供給された電力が，銅箔基板本体の銅箔に供給され、銅箔基板本体を上下に挟むように配置された巻取部本体に、巻取部本体が回転している場合においても常に銅箔に接触している接続端子を通じて、同時に２つの巻取部本体に供給される機能を備える巻取式充電通信ケーブル。
【請求項２】
２つの巻取部本体がそれぞれ単独でも機能する独立した構造になっている請求項１に記載の巻取式充電通信ケーブル。
(57)【要約】      （修正有）【課題】糸が外れ、逃げないようにする三味線の上駒を提供する。【解決手段】三味線の上駒は、三味線特有のサワリ効果の仕掛けとして糸溝１が切られおり、その糸溝１から糸が外れる事を防止するため、糸溝１近くにピン２を立てたことを特徴とする。【選択図】図１
0003208514.tif 000002
【実用新案登録請求の範囲】
【請求項１】
三味線の上駒は、三味線特有のサワリ（音の波）効果を出すための仕掛けの一部として糸溝が切（彫）られているが、調弦（調律）が低く弦の張力が弱い場合において、糸が糸溝から外れる事がある。糸が糸溝から外れる事を防止する為、上駒にピンを立てた上駒である。
【考案の詳細な説明】
【技術分野】
【０００１】本考案は、三味線上駒に係る。
【背景技術】
【０００２】三味線の上駒は、一の糸のための糸溝が切られている。
【先行技術文献】
【特許文献】
【考案の概要】
【考案が解決しようとする課題】
【０００４】調弦（調律）が低い場合、その弦の張力は弱く、その為、演奏に際し１の糸が糸溝からはずれる事がある。
【課題を解決するための手段】
【０００５】本考案は上駒にピンを立て、ストッパー効果をもたらし、糸が外れる事を防止するものである。
【考案の効果】
【０００６】糸が外れる可能性が大変低くなる。
【図面の簡単な説明】
【０００７】
【図１】新考案上駒側面
【図２】新考案上駒上面
【図３】通常上駒側面
【考案を実施するための形態】
【０００８】量産品上駒を加工に用い、糸溝横０．５ミリの場所に、糸ずれ防止のピンをロウ付けにより溶接する。
【実施例】
【０００９】以下、本考案の実施形態を、図１〜３に基づき説明する。【００１０】図３の量産品金具を用い、糸溝（図１−１）横０．５ミリの場所に、糸ずれ防止の１．６ミリ長、０．８ミリ径のピン（図１−２）を溶接する。
【図１】
0003208514.tif 000003
【図２】
0003208514.tif 000004
【図３】
0003208514.tif 000005
【手続補正書】
【提出日】平成28年10月27日(2016.10.27)
【手続補正１】
【補正対象書類名】実用新案登録請求の範囲
【補正対象項目名】全文
【補正方法】変更
【補正の内容】
【実用新案登録請求の範囲】
【請求項１】
三味線の上駒は、三味線特有のサワリ効果の仕掛けとして糸溝が切られおり、その糸溝から糸が外れる事を防止するため、糸溝近くにピンを立てたことを特徴とする上駒である。
(57)【要約】      （修正有）【課題】エアゾールは消耗品であるエアゾール部と集塵装置部を分離し集塵装置を再利用可能な構造とし，簡単な構造にすることにより経済効果が期待でき身近な簡易集塵装置を提供する。【解決手段】エアゾール本体１００と，エアゾール本体１００に装着するビニールパイプを接続した治具とし，ビニールパイプの一端を吸入口２，他端を排出口４とし，排出口４に集塵部を配設し，吸入口２と排出口４の間に噴射孔３を形成して簡易集塵装置本体とし，エアゾール本体１００から噴出されたエアゾールを噴射孔３に導き吸入口２から流入した空気と混合させて排出口４へ噴出させた。【選択図】図１
0003208536.tif 000002
【実用新案登録請求の範囲】
【請求項１】
エアゾール本体と，前記エアゾール本体に装着するビニールパイプを接続した治具とし，一端を吸入口，他端を排出口，前記排出口に集塵部を配設し，前記吸入口と前記排出口の間に噴射孔を形成した簡易集塵装置本体と，前記エアゾール本体から噴出されたエアゾールを前記噴射孔に導き前記吸入口から流入した空気と混合させて前記排出口へ噴出させたことを特徴とする簡易集塵装置．
【請求項２】
前記治具は，前記エアゾール本体にマグネットで装着したことを特徴とする請求項１記載の簡易集塵装置．
【請求項３】
前記ビニールパイプは，前記エアゾール本体に巻き付け装着したことを特徴とする請求項１記載の簡易集塵装置．
【考案の詳細な説明】
【技術分野】
【０００１】本考案は，一般に市販されているエアゾールを利用可能とし，簡単に着脱可能とした簡易集塵装置に関するものである．
【背景技術】
【０００２】従来のエアゾールを用いた集塵装置は電源が不要であり「チリ」や「ホコリ」を吸い込む目的において手軽に利用できる利点があった．（例えば特許文献１参照．）．【０００３】しかし，従来の集塵装置は構造上，エアゾール本体と集塵装置本体が一体化されていることから，エアゾール内部の圧力が低下し消耗した場合，集塵装置の部分も含め消耗品となり経済的でない欠点があった．
【先行技術文献】
【特許文献】
【０００４】
【特許文献１】実開昭５６−００２９９
【考案の概要】
【考案が解決しようとする課題】
【０００５】解決しようとする課題は，エアゾールは消耗品であることから，エアゾール本体部と集塵装置部を分離し集塵装置を再利用可能な構造とし，また，エアゾールを交換可能としたことで経済効果が期待でき，身近な簡易集塵装置が提供できる．
【課題を解決するための手段】
【０００６】上記，目的を解決するため，本考案は，エアゾール本体に付属のノズルを利用して，簡易集塵装置本体とノズルがなす角を鋭角とし噴射孔より簡易集塵装置本体内に貫通させて挿入し接続したビニールパイプを共用した構造が最も主要な特徴とする．
【考案の効果】
【０００７】本考案によれば，エアゾール本体と簡易集塵装置が容易に着脱可能となることから簡易集塵装置の再利用が可能となることから経済的な簡易集塵装置が提供できる．【０００８】簡易集塵装置に見立てた試作装置を作り集塵に関する実験をおこなった結果，エアゾールの製品固有による噴射力の違いはあるものの「チリ」や「ホコリ」だけではなく六角ボルトＭ３（首下長さ６ｍｍ）質量ｍ＝０．６７ｇ，の金属も集塵することが可能であった．
また，電気掃除機のノズルが入らないような狭所やＯＡ機器のクリーニングにおいても利用が可能であった．
一般に市販のエアゾール付属のノズルの直径がφ２．５ｍｍのものが多く用いられているが，それ以外の径のノズルの場合はノズルアタッチメントを用いることで対応が可能であった．
【図面の簡単な説明】
【０００９】
【図１】本考案の一実施形態に係わる簡易集塵装置の外観構成を表す．
【図２】装着用マグネット６により，市販されているエアゾール本体と簡易集塵装置と装着した図である．
【図３】市販されているエアゾール本体に巻つけ可能とするために簡易集塵装置の形状を「らせん状」に形状を保持させた図である．
【考案を実施するための形態】
【００１０】本考案の実施形態について図面に基づいて説明する．
【００１１】市販のエアゾール１００と簡易集塵装置１を装着する場合．図１にしめすよう，市販のエアゾール１００と簡易集塵装置１を装着用治具５により装着し，エアゾール付属のノズル１０３を噴射孔３に差し込む．差し込み長さは抜けない程度とする．
【００１２】エアゾール噴射ボタン１０１を操作し噴射された気体はエアゾール付属ノズル１０２をとおり噴射孔３より簡易吸引装置１内部に導かれ放たれ，吐出し口（集塵部）４方向へ一定の気流が発生する．
【００１３】吐出し口（集塵部）４は，市販のエアゾール１００からの気流と「チリ」や「ホコリ」を分別させる役割があるため，ガーゼ，布，テッシュペーパ，キッチンの水切りフィルター等の素材が適している．
【００１４】上記，噴射された気流は，質量保存（エネルギー保存）の法則よる連続式より，Ｑ＝ＡＶ＝一定であるから，簡易吸引装置１内に流れる流量はどの断面においても一定となる．簡易吸引装置１の断面積が同じであれば，流速も同じことになる．したがって，吸引口２より「チリ」や「ホコリ」が吸引され簡易集塵装置１をとおり吐出し口（集塵部）４において気体と「チリ」や「ホコリ」が分別される．
つまり，エアゾール本体部Ａより噴射された気体は，ＢからＤに流れる．この時に流れた流量は上式によりどの断面においても一定となることから，この気体の流れは吸引口２においても発生し吸引力となる．
【００１５】市販のエアゾール１００を取り外す場合．
噴射孔３よりエアゾール付属ノズル１０２を抜き取り，装着治具５を簡易集塵装置１より取り外す．
【００１６】エアゾールを交換する場合は上記方法によるものとする．
【００１７】装着用治具５の機能を装着用マグネット６に置き換え簡易集塵装置に装着する．
【００１８】図２は，市販のエアゾールの外径が概ねφ６５ｍｍであることから，簡易集塵装置１の下方を「らせん状」に形状を保持したものである．装着方法はエアゾール１００の上方より，らせん形状の簡易吸引装置を落とし込み装着させ，エアゾール付属のノズル１０３を噴射孔３に差し込む部分は上記と同じとする．
【産業上の利用可能性】
【００１９】エアゾールと簡易集塵装置を完全に分離し容易に着脱可能としたこと，単純な構造を採用したことにより製品コストが抑えられ，より身近な簡易吸塵装置の用途とし適用できる．
【符号の説明】
【００２０】    １  簡易吸引装置
２  吸引口
３  噴射孔
４  吐出し口（集塵部）
５  装着用治具
６  装着用マグネット
７  らせん形状の簡易吸引装置
１００  エアゾール本体
１０１  エアゾール噴射ボタン
１０２  エアゾール付属ノズル
ＡからＤは気体の流れをしめす
【図１】
0003208536.tif 000003
【図２】
0003208536.tif 000004
【図３】
0003208536.tif 000005
(57)【要約】      （修正有）【課題】出汁がよく取れ清潔に保てる出汁とりポットを提供する。【解決手段】ガラス、プラスチック等の水分を通さず成形しやすく軽い素材で２リットルくらいのポット型の容器２を作成し、その注ぎ口に網の中蓋１を付けた。【選択図】図１
0003208525.tif 000002
【実用新案登録請求の範囲】
【請求項１】
ガラス、プラスチック等の水分を通さず成形しやすく軽い素材で２リットルくらいのポット型の容器を作成し、その注ぎ口に網の中蓋を付けることを特徴とする網の中蓋つき出汁とりポット。
【考案の詳細な説明】
【技術分野】
【０００１】本考案は、網の中蓋を付けた出汁とりポットに関するものである。
【背景技術】
【０００２】出汁とりポットは、入り干し、昆布、乾燥しいたけ等をポットの中のこし器に入れて水または、お湯を入れて出汁を取るものが広く利用されている。
【考案の概要】
【考案が解決しようとする課題】
【０００３】出汁とりポットの出汁を効率よく取れるようにし、後片付けをしやすく、より清潔に保てるようにする。
【課題を解決するための手段】
【０００４】本考案は、出汁とりポットの中に予めセットされている、こし器をとり除き、上部の蓋の下に新に網を張った中蓋を取り付ける。
【考案の効果】
【０００５】従来のこし器に出汁をとる材料を入れると、出汁がこし器の中に一定量溜り濃度がこし器の外と比べ濃くなる。こし器を取りのぞいた方が、出汁の材料の回りにある水の濃度が薄くなる。よってこし器をとりのぞいた方が浸透圧差が大きくなるため出汁が出やすくなる。【０００６】こし器は毎回ていねいに洗っているつもりでも、網に出汁がくっつき目詰まりしやすくなる。目詰まりすると、中々落ちない。こし器を取りのぞくと掃除が簡単である。新しく中蓋の網をつけた方は、出汁を出す時だけ使うので、その時さっと洗えば目詰まりはほとんどない。【０００７】こし器がなく、ポットが洗いやすいので清潔に保ちやすい。
【図面の簡単な説明】
【０００８】
【図１】網の中蓋つき出汁とりポットの正面図
【考案を実施するための形態】
【０００９】水が２リットルくらい入るポット型の容器に容量のメモリをつけ、網をつけた中蓋を新しく取り付ける。
【実施例】
【００１０】以下添付図に従って、一実施例を説明する。［図１］の１は網のついた中蓋であり、２は、メモリのついたポット本体である。３は、外蓋である。
【符号の説明】
【００１１】１網のついた中蓋
２ポット本体
３外蓋
４水とともに中にいれた出汁の材料
【図１】
0003208525.tif 000003
(57)【要約】      （修正有）【課題】安易に空気注入出来るタイヤを提供する。【解決手段】タイヤ本体１に臍ゴム２を取り付け、注入針３で空気を注入することにより、空気無しタイヤの様々な弊害を取り除き役に立つ。【選択図】図１
0003208521.tif 000002
【実用新案登録請求の範囲】
【請求項１】
小径の空気入りタイヤの空気注入バルブに、臍ゴムを使用し注入針等で簡単に空気を注入出来るタイヤ。
【考案の詳細な説明】
【技術分野】
【０００１】  本考案は、臍ゴムを設けた空気入りタイヤに関するものである。
【背景技術】
【０００２】  ラジコンカー、等に使用される小径のタイヤなどの場合、中に空気を入れずに中空のゴムをそのままホイールに取り付けていた。又荷物運搬用カートや車椅子の前輪等は、硬いゴムがそのまま使用されていた。
【考案の概要】
【考案が解決しようとする課題】
【０００５】  空気を圧入していないタイヤは、フカフカ状態で自動車に例えればパンク状態に等しく、スピードも出にくい。又硬いゴムだとゴロゴロ音もして、クッションせいも悪く、少しの段差や砂利道等での走行が悪かった。従って、空気入りタイヤを使用する事によって、前述の欠点を解決しようとするものである。
【課題を解決するための手段】
【０００６】  本考案は、タイヤに臍ゴムを取り付けて、容易に空気を注入できるようにして、問題点を解決している。
【考案の効果】
【０００７】  上述の様に、本考案の臍ゴム付空気入りタイヤは、中に空気を圧入することにより、格段に性能が上り、音も静かで、快適に運び、乗りこなす事に役に立つ。
【図面の簡単な説明】
【０００８】
【図１】本タイヤの一部切欠き断面図である。
【図２】本考案の臍付空気入りタイヤの正面図である。
【図１】
0003208521.tif 000003
【図２】
0003208521.tif 000004
(57)【要約】      （修正有）【課題】収納部を備え、被覆面と祭壇面を効率よく選択して使用できる祭壇装置を提供する。【解決手段】祭壇装置は、祭壇部２と、祭壇部と複数の蝶番６を介して取り付けられた収納部３と、収納部の少なくとも一端側に設けられた被覆部（竹垣部５）と、収納部の上部に設けられた花卉部材８と、から構成され、祭壇部と、収納部の底部には、複数の車輪部材７を備えた。【選択図】図２
0003208529.tif 000002
【実用新案登録請求の範囲】
【請求項１】
祭壇部と、該祭壇部と複数の蝶番を介して取り付けられた収納部と、該収納部の少なくとも一端側に設けられた被覆部と、該収納部の上部に設けられた花卉部材と、から成る祭壇装置。
【請求項２】
前記祭壇部と、前記収納部の底部には、複数の車輪部材を備えたことを特徴とする、請求項１記載の祭壇装置。
【考案の詳細な説明】
【技術分野】
【０００１】  本考案は、葬儀に使用される祭壇装置に関するものである。
【背景技術】
【０００２】  葬儀用の祭壇としては、さまざまな形態のものが採用されているが、通常は殆どが同じ形状であり、葬儀に掛かる予算などによって規模が異なるものとなっている。【０００３】  また、近年の葬儀は専用の斎場にて行われるため、斎場の施設の大きさによっては祭壇装置が貧弱に見えることや、備品類の収納のために屏風が使用されることもあった。【０００４】  例えば、特開２００２−２８０７１号では、多数の段が手前から上方奥に向けて次第に上りになる階段状に形成された祭壇本体の幅方向両側に、欄干を設け、欄干にぼんぼりを取り付けた祭壇装置が開示されている。また、祭壇の背後に吊り下げられたスクリーンと、故人を偲ばせる画像又は会葬者をなごませる画像を上記スクリーンに拡大して投影する投影機と、を備えた葬儀用祭壇もある（特許文献２参照）。
【先行技術文献】
【特許文献】
【特許文献１】特開２００２−２８０７１号
【特許文献１】特開２０１１−１６１０８８号
【考案が解決しようとする課題】
【０００５】  上記特許文献１に記載の発明では従来の祭壇と趣が異なり、しかも祭壇本体及び欄干を組み立て、分解可能であり、一つの祭壇を式場の大きさに合わせてサイズを変えることできるものであるが、祭壇部材と収納部とを蝶番を介して回動自在として、備品の収納を容易としたものではない。
【０００６】  また、特許文献２に記載の発明では、祭壇の背後にスクリーンを吊り下げて、投影機によって故人の画像や、会葬者をなごませる画像を投影できるものであり、葬儀の荘厳さを損なわず、またコスト高を招来することのない祭壇であるが、竹垣と祭壇を回転させて会場の統一感を演出するものとは異なるものである。
【０００７】  本考案はこのような問題を鑑みてなされたものであり、祭壇の後部に竹垣を組み、その上部に花部材を配置し、さらに収納部を一体に構成した祭壇装置を提供する事を目的とする。
【課題を解決するための手段】
【０００９】  以上の課題を解決するために、本考案の祭壇装置は、祭壇部と、該祭壇部と複数の蝶番を介して取り付けられた収納部と、該収納部の少なくとも一端側に設けられた被覆部と、該収納部の上部に設けられた花卉部材と、から構成されたことを特徴とする。
【００１０】  また、前記祭壇部と、前記収納部の底部には、複数の車輪部材を備えたこと特徴とする。
【考案の効果】
【００１１】  本考案の祭壇装置は、祭壇部と、該祭壇部と複数の蝶番を介して収納部が取り付けられており、花器や葬儀に使用される備品などの収納が容易である。
【００１２】  また、前記祭壇部と、前記収納部の底部には、複数の車輪部材を備えており、収納部の少なくとも一端側に設けられた被覆面と、祭壇部をのいずれかを前面とする際に簡単な操作で入れ替えが可能となる。
【図面の簡単な説明】
【００１３】
【図１】本考案に係る祭壇装置の斜視図である。
【図２】図１の回動状態を説明する斜視説明図である。
【図３】図１の他の方向から見た斜視図である。
【図４】本考案に係る祭壇装置の使用例を示す図である。
【考案を実施するための形態】
【００１４】  以下に本考案の一実施の形態を説明する。
【実施例１】  図１乃至図３に示すように、本実施例の祭壇装置１は、祭壇部２と、収納部３と、から構成されており、収納部３の一端側には第一の竹垣部４が、また収納部３の多端側上部には第二の竹垣部５が夫々取り付けられている。また、図２に示すように２個の蝶番６が祭壇部２の後部一端側と、収納部３の前部一端側に夫々固着されており、この蝶番６を介して、祭壇部２と、収納部３が回動可能とされている。尚、祭壇部２の後部面には図示しない磁石部材が取り付けされており、収納部３の前部他端部と着脱自在とされている。そして、祭壇部２と、収納部３の底部にはそれぞれ車輪部材７が複数設けられており、祭壇装置１の移動や、祭壇部２と、収納部３の回動を容易とする。尚、収納部３の最上部には四季を彩る花卉部材８が設けられており、前記竹垣４、５と共に、斎場の統一感を生じさせる。【００１５】  竹垣部の素材は天然竹に限らず、プラスチック素材や金属製のものでもよく、網代状に組まれたものに限らない。また、花卉部材８も生花である必要もなく、繰り返し使用できる造花であってもかまわない。【００１６】  斎場に配置された祭壇装置１の使用状況を図４に示しており、中央の祭壇の両側に本考案の祭壇装置１が夫々配置されており、竹垣部４を正面にして配置した状態となっている。
【符号の説明】
【００１７】１・・・祭壇装置
２・・・祭壇部
３・・・収納部
４・・・竹垣部
５・・・竹垣部
６・・・蝶番
７・・・車輪部材
８・・・花卉部材
【図１】
0003208529.tif 000003
【図２】
0003208529.tif 000004
【図３】
0003208529.tif 000005
【図４】
0003208529.tif 000006
(57)【要約】      （修正有）【課題】着脱が容易な鞄の肩紐の滑り止めを提供する。【解決手段】摩擦力のある小片１と、これを鞄に取り付ける輪状の部分２を一体化し、鞄の肩紐に輪状の部分２を回し、輪の部分に、摩擦力のある小片１を通すことで、容易に鞄の肩紐に、摩擦力のある小片１が取り付けられる。この肩紐の滑り止めを、鞄の肩紐に取り付けたまま移動させ、摩擦力のある小片を肩と鞄の間に挟むことで、鞄が肩から滑り落ちるのを防止できる。この着脱が容易な滑り止めが一つあれば、保有するすべての鞄に装着して利用することができる。また小ぶりであるので、華奢な鞄にも使用してもデザインを損なうことがない。【選択図】図４
0003208527.tif 000002
【実用新案登録請求の範囲】
【請求項１】
摩擦力のある小片と、これを鞄に取り付けるための輪状の部分が一体化したことを特徴とする、着脱が容易な鞄の肩紐の滑り止め。
【請求項２】
本考案は、シリコン、ゴムまたは合成ゴムから成る薄片を用いて作成することを特徴とする請求項１記載の鞄の肩紐の滑り止め。
【考案の詳細な説明】
【技術分野】
【０００１】  本考案は、摩擦力のある素材の小片を肩と、鞄の肩紐の間に挟むことによって、鞄のデザインを損なうことなく、適宜肩紐の滑りを低減させることを目的とする、鞄の肩紐の滑り止めに関するものである。
【背景技術】
【０００２】  従来の、鞄の肩紐の滑り止めは、鞄からの取外しがしにくく、さらに鞄のデザインに大きく影響するため、広く普及するに至っていない。
【先行技術文献】
【特許文献】
【０００３】
【特許文献１】特開２００９−１４２４８５（Ｐ２００９−１４２４８５Ａ）
【考案の概要】
【考案が解決しようとする課題】
【０００４】  従来、鞄の肩紐の滑り止めは、肩紐に固定したまま使用することが前提であったため、鞄毎に専用の滑り止めが必要であった。さらに、滑り止めの目的を達成させるためのデザインも無骨となり、華奢な鞄にはそぐわなかった。
【課題を解決するための手段】
【０００５】  本考案は、摩擦力のある小片に、輪状の紐を一体化しておき、輪状の紐に摩擦力のある小片を通して装着できるので、この着脱は極めて容易である。鞄を肩に掛ける際には、本考案に係る、鞄の肩紐の滑り止めを、鞄の肩紐につけたまま移動させ、摩擦力のある小片を肩と鞄の間に挟むことにより摩擦力により鞄が肩から滑り落ちるのを防止し、目的を達することができる。
【考案の効果】
【０００６】  上述のように、本考案の、鞄の肩紐の着脱が容易な滑り止めが一つあれば、保有するすべての鞄に装着して利用することができる。小片を適宜、肩と鞄の間に挟むことにより鞄が肩から滑り落ちるのを防止することができる。また、本考案はデザイン上も小ぶりであるので、華奢な鞄にも使用してもデザインを損なうことなく、目的を達することができる。【０００７】  本考案にかかる鞄の肩紐の滑り止めの作成に当たっては、広範な原料から成る薄片を用いることができるが、なかでも、シリコン、ゴムまたは合成ゴムを用いると、容易に、滑り止め効果の優れた、鞄の肩紐の滑り止めを作成することができる。
【図面の簡単な説明】
【０００８】
【図１】本考案にかかる、鞄の肩紐の滑り止めの概略構成図である。
【図２】本考案の、鞄への装着の仕方を表す。
【図３】本考案を、鞄へ装着した様子を表す。
【図４】本考案を、肩と鞄の間に挟む仕方を表す。
【図５】本考案を、肩と鞄の間に挟んだ様子を表す。
【考案を実施するための形態】
【０００９】  摩擦力のある小片に、輪状の紐を一体化する。
【実施例】
【００１０】  以下、添付図面に従って一実施例を説明する。１は摩擦力のある小片、２は輪状の紐である。鞄の肩紐に輪状の紐２を回し、輪状の紐２の輪の部分に、摩擦力のある小片１を通すことで、容易に鞄の肩紐に、摩擦力のある小片１が取り付けられた。【００１１】  本考案に係る鞄の肩紐の滑り止めを、鞄の肩紐に取り付けたまま移動させ、摩擦力のある小片１を肩と鞄の間に挟むことにより摩擦力により鞄が肩から滑り落ちるのを防止することができる。鞄の肩紐が二本の場合は、一本の肩紐に下げておくことにより、容易に鞄の開け閉めが可能となる。
【符号の説明】
【００１２】１  摩擦力のある小片
２  輪状の紐
【図１】
0003208527.tif 000003
【図２】
0003208527.tif 000004
【図３】
0003208527.tif 000005
【図４】
0003208527.tif 000006
【図５】
0003208527.tif 000007
(57)【要約】      （修正有）【課題】平織の装飾用リボンに安全な素材で強度と復元性をもたせ、ふっくらとした形を長く保てる装飾リボンアクセサリーを提供する。【解決手段】平織の装飾用リボン１に、圧縮生地２を裏に両面テープで貼り、水溶き接着剤を染み込ませ、乾燥させ、強度と復元性をもたせた装飾用リボンを使用し、装飾リボンアクセサリーを作ることにより、長く、ふっくらした形を保つ、乳幼児が使用しても、安心安全なアクセサリーになる。【選択図】図１
0003208526.tif 000002
【実用新案登録請求の範囲】
【請求項１】
装飾用リボンを使用した装飾リボンアクセサリーにおいて、
前記装飾用リボンは、
うねりのある平織の装飾用リボンに、保水性・弾力性を持つ圧縮生地を貼り、
接着剤を染み込ませたもので、前記装飾用リボンを使用した、
厚みがある立体的な形を有し、復元性を有する、装飾リボンアクセサリー。
【考案の詳細な説明】
【技術分野】
【０００１】本考案は、平織の装飾用リボンに圧縮生地を貼り、接着剤を染み込ませ少しの強度と復元性をもたせた弾力あるリボンを使って作った装飾リボンアクセサリーに関するものである。
【背景技術】
【０００２】従来からの立体的な装飾リボンアクセサリーは、形を保つ為の芯材としてリボンの裏にワイヤー（針金）または薄いプラスチックシートが用いられている。ワイヤーは、装飾リボンアクセサリーの形を自由自在に変形させることが出来、プラスチックシートを使用した装飾リボンアクセサリーは形をしっかり保持する事ができる。
【考案の概要】
【考案が解決しようとする課題】
【０００３】ところが、従来のワイヤーを使用した立体的な装飾リボンアクセサリーは、何等かの圧力が加わったとき、折れ曲がり、折れ癖がついてしまい、完全に元の直線状態に形を復元することは不可能である。薄いプラスチックシートは、製作段階で出来上がりのデザインの寸法にプラスチックシートを切り取らなければならない。【０００４】しかも、装飾用リボンアクセサリーとしては、布製以外の素材、ワイヤーやプラスチックシートが、外から見えないようにする必要があり、同じ装飾用リボンを重ねて芯材をはさみ隠している。
その為、リボンパーツ一つ一つに厚みがあり、各パーツを重ね合わせ結合させる際の作業が難しく、出来上がるデザインも限られていた。
【課題を解決するための手段】
【０００５】本考案は、上述の各問題に対処し、改善を図るべく、リボンの形を保つ芯材として、圧縮生地を使用し、平織装飾用リボンの長さに合わせて裏に貼り、これに接着剤をしみ込ませて乾燥させることで、復元性を持つ弾力あるリボンにした。また、使用する圧縮生地をリボンの色に近い色を使用することで、従来のように芯材を隠す為に同じリボンを二重に重ねる無駄や必要性をなくした。
【考案の効果】
【０００６】本考案装飾リボンアクセサリーは、布製の圧縮生地を芯材として用い弾力と強度をもたせた構成であることから、乳幼児の頭や腕につけても、洋服に飾ったまま寝返りをしても、安心安全であり、復元性弾力を持つため、長期に形を保つことが出来る。【０００７】また、圧縮生地を装飾リボンアクセサリーの色に近いものにすることで各リボンパーツを二重にして隠す必要がなく、経済的であり、厚みが生じない。その為、色んなデザインに形作ることが出来る。装飾リボンアクセサリーの色と全く違う色の圧縮生地を裏に貼ったとしても、圧縮生地そのものが、装飾用として普段から親しまれている布製素材なので、その色が仕上がり全体でさし色となり、デザインとして見る事が出来る。
【図面の簡単な説明】
【０００８】
【図１】この考案の特徴を実施するためのリボンパーツ作成展開図である。
【図２】図１の点線Ａの部分の断面拡大図である。
【図３】この考案を実施し製作した装飾用リボンと実施前の装飾用リボンの立体的なふくらみの比較
【図４】この考案を実施し製作した装飾用リボンのデザイン例
【考案を実施するための形態】
【０００９】本考案は、平織の装飾用リボン１に安全な素材で強度と復元性をもたせ、ふっくらとした形を長く保てる装飾リボンアクセサリーにする。
本考案は平織の装飾用リボン１に、保水性・弾力性を持つ圧縮布２を裏に両面テープ３で貼り、水溶き接着剤４を染み込ませ、乾燥させ、強度と復元性をもたせた装飾用リボンを使用し、装飾リボンアクセサリーを作ることにより、上から圧力をかけても元の形状に戻ろうとする、つまり、ふっくらした形を保つ、乳幼児が使用しても、安心安全なアクセサリーになる。
【符号の説明】
【００１０】１  装飾用リボン
２  圧縮生地
３  両面テープ
４  水溶き接着剤塗布範囲
【図１】
0003208526.tif 000003
【図２】
0003208526.tif 000004
【図３】
0003208526.tif 000005
【図４】
0003208526.tif 000006